(57)【要約】【課題】包装袋の表裏に形成する切目線、組み合わせの工夫により、切目線に沿って引裂くことができるスタンディングタイプの包装袋を提供する。【解決手段】対向する端縁に端縁熱接着部２を有する前壁と後壁および底壁シートからなる包装袋であって、前記前壁シートの外層１１に前記左側端縁熱接着部２Ａの外縁を起点として、当該起点と前記左右側端縁熱接着部２Ａ，２Ｂに平行する方向の位置を同じくする前記右側端縁熱接着部２Ｂの外縁を終点として連続する第１切目線３を形成し、前記後壁シートの外層１１に前記左２Ａ側端縁熱接着部の外縁を起点として、第１切目線３と同様に前記右側端縁熱接着部２Ｂの外縁を終点として連続する第２切目線３’を平面視で前記第１切目線３と形成位置を異にして形成し、前記第１切目線３と第２切目線３’に沿って引裂き開口した際に、引裂き開口部に段差を生じさせることを特徴とするスタンディングタイプの包装袋。【選択図】図１
2016179863.tif 000002
【特許請求の範囲】
【請求項１】
外側から順に外層とアルミニウムからなる中間層と熱接着性樹脂からなる内層とを少なくとも有する矩形状の積層体から構成され、手前側の第一面と、奥側の第二面と、底側の第三面とを備え、前記第一面の内層と前記第二面の内層とが対向状態で配置されており、前記第三面は前記第一面の底側の領域と前記第二面の底側の領域の間に中央山折線を介して山折りされた状態で配置され、前記第一面の底側の領域における内層と前記第三面の前記中央山折線にて区画された手前側の領域における内層とが対向状態で配置され且つ前記第二面の底側の領域における内層と前記第三面の前記中央山折線にて区画された奥側の領域における内層とが対向状態で配置されており、前記第一面と前記第二面と前記第三面とが接合状態とされている熱接着部を備え、
前記熱接着部は、
前記第一面の底側の領域及び前記第三面の前記中央山折線にて区画された手前側の領域と、前記第二面の底側の領域及び前記第三面の前記中央山折線にて区画された奥側の領域とが、
前記第三面の周縁領域にて接合状態とされている底側の端縁熱接着部と、
前記第一面の底側の領域より上の領域における左側の端縁領域と前記第二面の底側の領域より上の領域における左側の端縁領域とが接合状態とされている左側の端縁熱接着部と、
前記第一面の底側の領域より上の領域における右側の端縁領域と前記第二面の底側の領域より上の領域の右側における端縁領域とが接合状態とされている右側の端縁熱接着部とを備えているスタンディングタイプの包装袋であって、
前記包装袋は、
その平面視状態における上側の端縁から下側に下がった高さ位置であって且つ左側の端縁から右側の端縁に至る第一の帯状領域に左右方向に引裂き開口するための開封手段を備えており、
その平面視状態における前記第一の帯状領域から下側に下がった高さ位置であって且つ左側の端縁から右側の端縁に至る第二の帯状領域に再封手段を備えており、
前記開封手段は、左側の開封開始誘導部と、右側の開封開始誘導部と、これら左側と右側の開封開始誘導部に挟まれた段差形成部とを備えており、
前記段差形成部は、左側の一点から分岐して右側の一点に収斂する上側に膨れる切目線と下側に膨れる切目線とからなる第一面の外層に形成された環状切目線と、前記上側に膨れる切目線と下側に膨れる切目線との間と対応する位置を左右方向に進行する一本の切目線からなる第二面の外層に形成された直線状切目線と、から構成されており、
前記開封手段に沿って包装袋を左右方向に引裂き開口した際に、前記段差形成部において引裂き開口部を形成する第一面の切断面の外郭と第二面の切断面の外郭とを異ならしめることで、引裂き開口部に段差を形成可能とし、
前記再封手段は、相互に咬合し合う凸条の雄部材と凹状の雌部材とからなる合成樹脂製の咬合具から構成されており、
前記雄部材と前記雌部材とを咬合することで、引裂き開口された状態の包装袋を再封可能とするスタンディングタイプの包装袋。
【請求項２】
前記左側の開封開始誘導部は、前記左側の端縁熱接着部に形成された左側の切欠又は左側の傷痕群と、前記左側の切欠又は左側の傷痕群から開始された第一面における引き裂きを前記段差形成部を構成する前記環状切目線の前記左側の一点に誘導する第一面の外層に形成された第一面左側誘導切目線と、前記左側の切欠又は左側の傷痕群から開始された第二面における引き裂きを前記段差形成部を構成する前記直線状切目線の左端に誘導する第二面の外層に形成された第二面左側誘導切目線とを備えており、
前記右側の開封開始誘導部は、前記右側の端縁熱接着部に形成された右側の切欠又は右側の傷痕群と、前記右側の切欠又は右側の傷痕群から開始された第一面における引き裂きを前記段差形成部を構成する前記環状切目線の前記右側の一点に誘導する第一面の外層に形成された第一面右側誘導切目線と、前記右側の切欠又は右側の傷痕群から開始された第二面における引き裂きを前記段差形成部を構成する前記直線状切目線の左端に誘導する第二面の外層に形成された第二面右側誘導切目線とを備えている請求項１に記載のスタンディングタイプの包装袋。
【請求項３】
前記左側の切欠は、Ｉ字状の切欠、Ｕ字状の切欠、Ｖ字状の切欠または亀甲状の切欠であり、
前記右側の切欠は、Ｉ字状の切欠、Ｕ字状の切欠、Ｖ字状の切欠またが亀甲状の切欠であり、
前記左側の切欠と前記右側の切欠を同じ形状の切欠とする請求項２に記載のスタンディングタイプの包装袋。
【請求項４】
前記左側の切欠は、Ｉ字状の切欠、Ｕ字状の切欠、Ｖ字状の切欠または亀甲状の切欠であり、
前記右側の切欠は、Ｉ字状の切欠、Ｕ字状の切欠、Ｖ字状の切欠またが亀甲状の切欠であり、
前記左側の切欠と前記右側の切欠を異なる形状の切欠とする請求項２に記載のスタンディングタイプの包装袋。
【発明の詳細な説明】
【技術分野】
【０００１】
本発明は、スタンディングタイプの包装袋に関するものである。
【背景技術】
【０００２】
従来から、三方シールタイプや四方シールタイプ、あるいは、スタンディングタイプの積層体により構成される包装袋において、前記包装袋を構成する積層体により構成される手前側の第一面の外層に、左側の端縁熱接着部の外縁を起点とし、右側の端縁熱接着部の外縁を終点（起点と終点の上下方向［左側と右側の端縁熱接着部に平行な方向］の位置が同じ）として連続する第１切目線を形成し、前記包装袋を構成する積層体により構成される奥側の第二面の外層に、左側の端縁熱接着部の外縁を起点とし、右側の端縁熱接着部の外縁を終点（起点と終点の上下方向［左側と右側の端縁熱接着部に平行な方向］の位置が同じ）として連続する第２切目線を形成し、包装袋を手前側から平面視した状態で手前側の第一面の矩形平面上における前記第１切目線と奥側の第二面の矩形平面上における前記第２切目線の形成位置を一部異なるものとすることで、前記第１切目線と前記第２切目線に沿って包装袋の上端側を左右方向（左側と右側の端縁熱接着部に直交する方向）に引裂き開口した際に、引裂き開口部を形成する手前側の第一面の切断面の外郭と裏側の第二面の切断面の外郭とを異ならしめることで、引裂き開口部に段差を生じさせて内容物を取り出す際の開口を容易にした包装袋が提案されている（たとえば、特許文献１参照）。
【０００３】
さらに、同種の引裂き開口部に段差を生じさせて内容物を取り出す際の開口を容易にした包装袋であって、再封機能を備えた包装袋も提案されている（たとえば、特許文献２参照）。
【０００４】
ここで、特許文献１に記載された包装袋の第２実施形態、あるいは、特許文献２に記載された包装袋のように、第１切目線と第２切目線の一方（たとえば、裏側の第二面が備える第１切目線）を直線状の切目線とし他方（たとえば、手前側の第一面が備える第２切目線）を下端側に膨れた変則的（非直線的）な切目線とすることで、直線状の切目線に沿った一方の面（たとえば、奥側の第二面）の切断面の直線的な外郭と、下端側に膨れた切目線に沿った他方の面（たとえば、手前側の第一面）の切断面の円弧状の外郭との組み合わせによる舌片形状の段差が、手指で容易に開口するための段差として最も望ましいとされている。
【０００５】
しかし、包装袋を開封するにおいて、包装袋の変則的な切目線を備える面を手前に向けて、切目線より上端側の領域を摘んで手前に引裂くと、変則的な切目線を沿って下端側に膨れた円弧状の引裂き線が形成されるが、使用者の中には、袋を開封するにおいて、包装袋の変則的な切目線を備える面を手前に向けて、切目線より上端側の領域を摘んで奥側に引裂く場合があり、この場合には、引裂き線が変則的な切目線から外れる虞があり、当初予定した舌片形状の段差ができないことがある。
【先行技術文献】
【特許文献】
【０００６】
【特許文献１】特開２００５−２８９３９６号公報
【特許文献２】特開２００３−１０４３９４号公報
【発明の概要】
【発明が解決しようとする課題】
【０００７】
本発明は、手前側に引裂いても、また、奥側に引裂いても引裂き開口部に段差を形成可能な開封機能及び再封機能を備えるスタンディングタイプの包装袋を提供することを課題とする。
【課題を解決するための手段】
【０００８】
本発明者は、上記課題を達成するために、請求項１記載の本発明は、
外側から順に外層とアルミニウムからなる中間層と熱接着性樹脂からなる内層とを少なくとも有する矩形状の積層体から構成され、手前側の第一面と、奥側の第二面と、底側の第三面とを備え、前記第一面の内層と前記第二面の内層とが対向状態で配置されており、前記第三面は前記第一面の底側の領域と前記第二面の底側の領域の間に中央山折線を介して山折りされた状態で配置され、前記第一面の底側の領域における内層と前記第三面の前記中央山折線にて区画された手前側の領域における内層とが対向状態で配置され且つ前記第二面の底側の領域における内層と前記第三面の前記中央山折線にて区画された奥側の領域における内層とが対向状態で配置されており、前記第一面と前記第二面と前記第三面とが接合状態とされている熱接着部を備え、
前記熱接着部は、
前記第一面の底側の領域及び前記第三面の前記中央山折線にて区画された手前側の領域と、前記第二面の底側の領域及び前記第三面の前記中央山折線にて区画された奥側の領域とが、
前記第三面の周縁領域にて接合状態とされている底側の端縁熱接着部と、
前記第一面の底側の領域より上の領域における左側の端縁領域と前記第二面の底側の領域より上の領域における左側の端縁領域とが接合状態とされている左側の端縁熱接着部と、
前記第一面の底側の領域より上の領域における右側の端縁領域と前記第二面の底側の領域より上の領域の右側における端縁領域とが接合状態とされている右側の端縁熱接着部とを備えているスタンディングタイプの包装袋であって、
前記包装袋は、
その平面視状態における上側の端縁から下側に下がった高さ位置であって且つ左側の端縁から右側の端縁に至る第一の帯状領域に左右方向に引裂き開口するための開封手段を備えており、
その平面視状態における前記第一の帯状領域から下側に下がった高さ位置であって且つ左側の端縁から右側の端縁に至る第二の帯状領域に再封手段を備えており、
前記開封手段は、左側の開封開始誘導部と、右側の開封開始誘導部と、これら左側と右側の開封開始誘導部に挟まれた段差形成部とを備えており、
前記段差形成部は、左側の一点から分岐して右側の一点に収斂する上側に膨れる切目線と下側に膨れる切目線とからなる第一面の外層に形成された環状切目線と、前記上側に膨れる切目線と下側に膨れる切目線との間と対応する位置を左右方向に進行する一本の切目線からなる第二面の外層に形成された直線状切目線と、から構成されており、
前記開封手段に沿って包装袋を左右方向に引裂き開口した際に、前記段差形成部において引裂き開口部を形成する第一面の切断面の外郭と第二面の切断面の外郭とを異ならしめることで、引裂き開口部に段差を形成可能とし、
前記再封手段は、相互に咬合し合う凸条の雄部材と凹状の雌部材とからなる合成樹脂製の咬合具から構成されており、
前記雄部材と前記雌部材とを咬合することで、引裂き開口された状態の包装袋を再封可能とするものである。
【０００９】
また、請求項２記載の本発明は、請求項１に記載のスタンディングタイプの包装袋であって、前記左側の開封開始誘導部は、前記左側の端縁熱接着部に形成された左側の切欠又は左側の傷痕群と、前記左側の切欠又は左側の傷痕群から開始された第一面における引き裂きを前記段差形成部を構成する前記環状切目線の前記左側の一点に誘導する第一面の外層に形成された第一面左側誘導切目線と、前記左側の切欠又は左側の傷痕群から開始された第二面における引き裂きを前記段差形成部を構成する前記直線状切目線の左端に誘導する第二面の外層に形成された第二面左側誘導切目線とを備えており、
前記右側の開封開始誘導部は、前記右側の端縁熱接着部に形成された右側の切欠又は右側の傷痕群と、前記右側の切欠又は右側の傷痕群から開始された第一面における引き裂きを前記段差形成部を構成する前記環状切目線の前記右側の一点に誘導する第一面の外層に形成された第一面右側誘導切目線と、前記右側の切欠又は右側の傷痕群から開始された第二面における引き裂きを前記段差形成部を構成する前記直線状切目線の左端に誘導する第二面の外層に形成された第二面右側誘導切目線とを備えているものである。
【００１０】
また、請求項３記載の本発明は、請求項２に記載のスタンディングタイプの包装袋であって、前記左側の切欠は、Ｉ字状の切欠、Ｕ字状の切欠、Ｖ字状の切欠または亀甲状の切欠であり、前記右側の切欠は、Ｉ字状の切欠、Ｕ字状の切欠、Ｖ字状の切欠またが亀甲状の切欠であり、前記左側の切欠と前記右側の切欠を同じ形状の切欠とするものである。
【００１１】
また、請求項４記載の本発明は、請求項２に記載のスタンディングタイプの包装袋であって、前記左側の切欠は、Ｉ字状の切欠、Ｕ字状の切欠、Ｖ字状の切欠または亀甲状の切欠であり、前記右側の切欠は、Ｉ字状の切欠、Ｕ字状の切欠、Ｖ字状の切欠またが亀甲状の切欠であり、前記左側の切欠と前記右側の切欠を異なる形状の切欠とするものである。
【００１２】
本発明者は、上記課題を達成するために、本発明は、外層とアルミニウムからなる中間層と熱接着性樹脂からなる内層とを少なくとも有する積層体からなる前壁シートと後壁シートの内層面を対向して配置し、当該前壁シートと後壁シートの下端部に熱接着性樹脂からなる内層を少なくとも有する積層体からなる底壁シートを内層面を外面にして中央で山折りして挿入し、前記前壁シートの内層面と前記後壁シートの内層面に対して対向する山折りした前記底壁シートの外面とを前記底壁シートの周縁部にてヒートシールして底部端縁熱接着部を形成し、前記前壁シートの内層面に対向する前記後壁シートの内層面同士を左右の側端縁をヒートシールして左右の側端縁熱接着部を形成してなる包装袋であって、前記前壁シートの外層に、前記左の側端縁熱接着部の外縁を起点として、当該起点と前記左右の側端縁熱接着部に平行する方向の位置を同じくする前記右の側端縁熱接着部の外縁を終点として連続する第１切目線を形成し、前記後壁シートの外層に、前記左の側端縁熱接着部の外縁を起点として、当該起点と前記左右の側端縁熱接着部に平行する方向の位置を同じくする前記右の側端縁熱接着部の外縁を終点として連続する第２切目線を形成し、前記包装袋の平面視状態における前記第１切目線と前記第２切目線の形成位置を異なるものとすることで、前記第１切目線と前記第２切目線に沿って前記包装袋の上端側を前記左右の側端縁熱接着部に直交する方向に引裂き開口した際に、引裂き開口部を形成する前記前壁シートの切断面の外郭と前記後壁シートの切断面の外郭とを異ならしめることで、引裂き開口部に段差を生じさせる包装袋であって、前記第１切目線は、起点から前記左の側端縁熱接着部の内縁に向う方向に進行して起点側の前記左の側端縁熱接着部の内縁にまで達しない位置で収斂する起点側の複数本の切目線と、前記起点側の複数本の切目線の収斂した点から前記左右の側端縁熱接着部に直交する方向に進行して起点側の前記左の側端縁熱接着部の内縁より内側に達する起点側の一本の切目線と、終点から前記右の側端縁熱接着部の内縁に向う方向に進行して終点側の前記右の側端縁熱接着部の内縁にまで達しない位置で収斂する終点側の複数本の切目線と、前記終点側の複数本の切目線の収斂した点から前記左右の側端縁熱接着部に直交する方向に進行して終点側の前記右の側端縁熱接着部の内縁より内側に達する終点側の一本の切目線と、前記起点側の一本の切目線の終端から分岐して前記終点側の一本の切目線の終端に収斂する中央側の複数本の切目線から構成されており、前記第２切目線は、起点から前記左の側端縁熱接着部の内縁に向う方向に進行して起点側の前記左の側端縁熱接着部の内縁にまで達しない位置で収斂する起点側の複数本の切目線と、終点から前記右の側端縁熱接着部の内縁に向う方向に進行して終点側の前記右の側端縁熱接着部の内縁にまで達しない位置で収斂する終点側の複数本の切目線と、前記起点側の複数本の切目線の収斂した点から前記左右の側端縁熱接着部に直交する方向に進行して前記終点側の複数本の切目線の収斂した点に達する中央側の一本の切目線と、から構成されており、前記包装袋の平面視状態における前記第１切目線を構成する前記中央側の複数本の切目線の形成位置は上端側に膨れる切目線と下端側に膨れる切目線から構成されていることを特徴とするものである。
【００１３】
また、本発明は、包装袋において、前記第１切目線と第２切目線より下端側の包装袋の内面の対向する位置に、相互に咬合し合う凸条の雄部材と凹条の雌部材とからなる合成樹脂製の咬合具が設けられ、前記雄部材と前記雌部材とを咬合することで再封機能を備えることを特徴とするものである。
【発明の効果】
【００１４】
請求項１ないし請求項４に記載の発明によれば、包装袋の第一面を手前に向けて、開封手段より上端側の領域を手指で摘んで手前に引裂くと、段差形成部において、包装袋を構成する第一面及び第二面のうち、手前側の第一面は下側に膨れる切目線に沿って引裂き線が形成され且つ奥側の第二面は直線状切目線に沿って引裂き線が形成される。逆に、開封手段より上端側の領域を摘んで奥側に引裂くと、段差形成部において、包装袋を構成する第一面及び第二面のうち、手前側の第一面は上側に膨れる切目線に沿って引裂き線が形成される且つ奥側の第二面は直線状切目線に沿って引裂き線が形成される。したがって、包装袋の第一面を手前に向けて、開封手段より上端側の領域を手指で摘んで手前に引裂いても、奥側に引裂いても、段差形成部においては、引裂き開口部に段差が形成される。
さらに、包装袋の前記開封手段を備える第一の帯状領域から下側に下がった高さ位置の第二の帯状領域に相互に咬合し合う凸条の雄部材と凹条の雌部材とからなる合成樹脂製の咬合具を備えており、前記雄部材と前記雌部材とを咬合することで引裂き開口された状態の包装袋が再封される。
【図面の簡単な説明】
【００１５】
【図１】本発明にかかる包装袋の切目線と咬合具の位置関係を図解的に示す平面図である。
【図２】図１のＸ−Ｘ線断面を図解的に示す図である。
【図３】図１のＹ−Ｙ線断面を図解的に示す図である。
【図４】本発明にかかる包装袋に形成する切目線の第１実施形態を図解的に示す要部平面図である。
【図５】（ａ）は図４のＺ−Ｚ線断面を図解的に示す図，（ｂ）は図４のＷ−Ｗ線断面を図解的に示す図である。
【図６】本発明にかかる包装袋に形成する切目線の第２実施形態を図解的に示す要部平面図である。
【図７】本発明にかかる包装袋に形成する切目線にＶ字状の切欠を組み合わせた第３実施形態を図解的に示す要部平面図である。
【図８】本発明にかかる包装袋に形成する切目線にＵ字状の切欠を組み合わせた第４実施形態を図解的に示す要部平面図である。
【図９】図４に示す包装袋の一方の側端縁熱接着部を残した状態の開封図である。
【発明を実施するための形態】
【００１６】
上記の本発明について、図面等を用いて以下に詳述する。
なお、本段落においては、符号を付した構成について、特許請求の範囲に規定する構成要件との対応関係を括弧書きで解説的に示す。
図１は本発明にかかる包装袋の切目線と咬合具の位置関係を図解的に示す平面図、図２は図１のＸ−Ｘ線断面を図解的に示す図、図３は図１のＹ−Ｙ線断面を図解的に示す図、図４は本発明にかかる包装袋に形成する切目線の第１実施形態を図解的に示す要部平面図、図５（ａ）は図４のＺ−Ｚ線断面を図解的に示す図，図５（ｂ）は図４のＷ−Ｗ線断面を図解的に示す図、図６は本発明にかかる包装袋に形成する切目線の第２実施形態を図解的に示す要部平面図、図７は本発明にかかる包装袋に形成する切目線にＶ字状の切欠を組み合わせた第３実施形態を図解的に示す要部平面図、図８は本発明にかかる包装袋に形成する切目線にＵ字状の切欠を組み合わせた第４実施形態を図解的に示す要部平面図、図９は図４に示す包装袋の一方の側端縁熱接着部を残した状態の開封図であり、図中の１は包装袋、２は端縁熱接着部、２Ａは左側端縁熱接着部、２Ｂは右側端縁熱接着部、２Ｃは底部端縁熱接着部、２Ｄは上部端縁熱接着部、３は第１切目線、３’は第２切目線、５は切欠部、１０Ａは前壁用積層体（前壁シート）、１０Ｂは後壁用積層体（後壁シート）、１０Ｃは底壁用積層体（底壁シート）、１１は外層、１２は中間層、１３は内層、２０は合成樹脂製の咬合具、２１は凸条の雄部材、２２は凹条の雌部材、３０Ａは第１−１起点側収斂状切目線（第１の切目線・起点側の複数本の切目線）、３０Ｂは第１−１終点側収斂状切目線（第１の切目線・終点側の複数本の切目線）、３０Ｃは第１−２起点側直線状切目線（第１の切目線・起点側の一本の切目線）、３０Ｄは第１−２終点側直線状切目線（第１の切目線・終点側の一本の切目線）、３０Ｅ，３０Ｇは第１−３上端側切目線（第１の切目線・中央側の複数本の切目線・上端側に膨れる切目線）、３０Ｆ，３０Ｈは第１−３下端側切目線（第１の切目線・中央側の複数本の切目線・下端側に膨れる切目線）、３１Ａは第２−１起点側収斂状切目線（第２の切目線・起点側の複数本の切目線）、３１Ｂは第２−１終点側収斂状切目線（第２の切目線・終点側の複数本の切目線）、３１Ｃは第２−２起点側直線状切目線（第２の切目線・中央側の一本の切目線の一部）、３１Ｄは第２−２終点側直線状切目線（第２の切目線・中央側の一本の切目線の一部）、３１Ｅは第２−３中央側直線状切目線（第２の切目線・中央側の一本の切目線の一部）、Ｎ１はＶ字状の切欠、Ｎ２はＵ字状の切欠、αは切目線形成領域、βが咬合具形成領域、γがガセット領域をそれぞれ示す。
【００１７】
図１は本発明にかかる包装袋の切目線と咬合具の位置関係を図解的に示す平面図、図２は図１のＸ−Ｘ線断面を図解的に示す図、図３は図１のＹ−Ｙ線断面を図解的に示す図であって、包装袋１は外層１１とアルミニウム箔からなる中間層１２と熱接着性樹脂層からなる内層１３とを積層した３枚の矩形状の積層体である前壁用積層体１０Ａと後壁用積層体１０Ｂと底壁用積層体１０Ｃを準備し、前壁用積層体１０Ａと後壁用積層体１０Ｂの内層１３同士を対向して配置し、前壁用積層体１０Ａと後壁用積層体１０Ｂの下端部に底壁用積層体１０Ｃを内層１３を外面にして中央で山折りして挿入し、ガセット領域γを有する形式に形成されており、山折りされた底壁用積層体１０Ｃの左右の側端縁の下部近傍には、略半円形状の底壁用積層体１０Ｃの切欠部５，５が設けられ、ガセット領域γが、周縁部を含む船底型の底部端縁熱接着部２Ｃでヒートシールされ底部が形成される。また、前壁用積層体１０Ａと後壁用積層体１０Ｂの左右の側端縁部を左側端縁熱接着部２Ａ、右側端縁熱接着部２Ｂでヒートシールして胴部が形成され、上端部が開口する袋状に形成されている。上部端縁熱接着部２Ｄは、内容物の充填前は未シールの開口部とし、この部分から内容物を充填した後、脱気シールなどによりヒートシールして密封するものであり、スタンディングタイプの包装袋とされるものを構成している。また、包装袋１の上部には後述する易開封手段と総称できる各種手段（第１切目線３、第２切目線３’、Ｖ字状の切欠、Ｕ字状の切欠）が設けられている。さらに、易開封手段と総称できる各種手段（第１切目線３、第２切目線３’、Ｖ字状の切欠、Ｕ字状の切欠）の近傍下側には咬合具２０が易開封手段と総称できる各種手段（第１切目線３、第２切目線３’、Ｖ字状の切欠、Ｕ字状の切欠）に平行に前壁用積層体１０Ａと後壁用積層体１０Ｂの内層１３に設けられている。
【００１８】
ここで、本明細書においては、端縁熱接着部２の中で、図１等において左右方向の端部に位置するとともに上下方向に渡って形成されている一組の端縁熱接着部２を左側端縁熱接着部２Ａ、右側端縁熱接着部２Ｂと呼称し、図１等において上下方向の端部に位置するとともに左右方向に渡って形成されている一組の前記端縁熱接着部２のうち上側を上部端縁熱接着部２Ｄと呼称し、下側を底部端縁熱接着部２Ｃと呼称する。ただし、左側端縁熱接着部２Ａ、右側端縁熱接着部２Ｂに対し底部端縁熱接着部２Ｃと上部端縁熱接着部２Ｄとは重なる領域が存在するとの解釈されるおそれがあるため、本明細書においては、図１等において、ガセット領域γにおいては前壁用積層体１０Ａの内層１３と底壁用積層体１０Ｃの山折りで２面に区画された一方（図２の左側）の面の内層１３が対向しており、この対向する内層１３同士を周縁部を含む船底型（図１におけるガセット領域γにおける斜線部分）でヒートシールすると伴に、ガセット領域γにおいては後壁用積層体１０Ｂの内層１３と底壁用積層体１０Ｃの山折りで２面に区画された他方（図２の右側）の面の内層１３が対向しており、この対向する内層１３同士を周縁部を含む船底型（図１におけるガセット領域γにおける斜線部分）でヒートシールしているので、このようなヒートシールを行っている部分、すなわち、図１におけるガセット領域γにおける斜線部分を底部端縁熱接着部２Ｃと区画し、ガセット領域γより上側においては前壁用積層体１０Ａの内層１３と後壁用積層体１０Ｂの内層１３が対向しており、この対向する内層１３同士を周縁部を含む縦長長方形型（図１におけるガセット領域γより上側における左右の側端縁の斜線部分）でヒートシールしているので、このようなヒートシールを行っている部分、すなわち、図１における左右の側端縁でガセット領域γより上側で上端縁に至る斜線部分を左側端縁熱接着部２Ａ、右側端縁熱接着部２Ｂと区画し、それ以外の部分、つまり、前述した内容物を充填した後、脱気シールなどによりヒートシールする部分を上部端縁熱接着部２Ｄとして区画する。包装袋１は包装袋１を構成する矩形状の前壁用積層体１０Ａの外層１１と、矩形状の後壁用積層体１０Ａの外層１１にそれぞれ、前記包装袋１の平面視状態において形成位置を異なるように第１切目線３と第２切目線３’が形成された切目線形成領域αと該切目線形成領域αよりも下端側（底部端縁熱接着部２Ｃ側）に相互に咬合し合う凸条の雄部材２１と凹条の雌部材２２とからなる合成樹脂製の咬合具２０が設けられる咬合具形成領域βとから構成される。
【００１９】
次に、包装袋１に形成する切目線（第１切目線３と第２切目線３’）の実施形態について具体的に詳述する。図４は本発明にかかる包装袋に形成する切目線の第１実施形態を図解的に示す手前側から見た要部平面図、図５（ａ）は図４のＺ−Ｚ線断面を図解的に示す図，図５（ｂ）は図４のＷ−Ｗ線断面を図解的に示す図であって、切目線は、包装袋１を構成する前壁用積層体１０Ａ（手前側）の外層１１に形成された第１切目線３と、包装袋１を構成する後壁用積層体１０Ｂ（奥側）の外層１１に形成された第２切目線３’と、で構成される。
【００２０】
さらに、包装袋１を構成する前壁用積層体１０Ａ（手前側）の外層１１に形成された第１切目線３は、左側端縁熱接着部２Ａの外縁の３箇所と右側端縁熱接着部２Ｂの外縁の３箇所とからそれぞれ左右の側端縁熱接着部２Ａ、２Ｂの内縁に向う方向に進行して左・右側端縁熱接着部２Ａ、２Ｂの内縁にまで達しない位置で収斂しており包装袋１の左・右側端縁熱接着部２Ａ、２Ｂに平行する上下方向の位相（位置）（たとえば、上端縁熱接着部２Ｄの外縁からの距離）を同じくする３本の第１−１起点側収斂状切目線３０Ａ、３本の第１−１終点側収斂状切目線３０Ｂと、この第１−１起点側収斂状切目線３０Ａの収斂した点と第１−１終点側収斂状切目線３０Ｂの収斂した点とからそれぞれ左・右側端縁熱接着部２Ａ、２Ｂに直交する左右方向に進行して左・右側端縁熱接着部２Ａ、２Ｂの内縁より内側に達しており包装袋１の左・右側端縁熱接着部２Ａ、２Ｂに平行する上下方向の位相（位置）（たとえば、上端縁熱接着部２Ｄの外縁からの距離）を同じくする１本の第１−２起点側直線状切目線３０Ｃ、１本の第１−２終点側直線状切目線３０Ｄと、これら１本の第１−２起点側直線状切目線３０Ｃ、１本の第１−２終点側直線状切目線３０Ｄのそれぞれの終端を繋ぐ上端側に膨らむ第１−３上端側切目線３０Ｅと下端側に膨らむ第１−３下端側切目線３０Ｆとから構成される。
【００２１】
さらに、包装袋１を構成する後壁用積層体１０Ｂ（奥側）の外層１１に形成された第２切目線３’は、左側端縁熱接着部２Ａの外縁の３箇所と右側端縁熱接着部２Ｂの外縁の３箇所とからそれぞれ左・右側端縁熱接着部２Ａ，２Ｂの内縁に向う方向に進行して左・右側端縁熱接着部２Ａ、２Ｂの内縁にまで達しない位置で収斂しており包装袋１の左・右側端縁熱接着部２Ａ、２Ｂに平行する上下方向の位相（位置）（たとえば、上端縁熱接着部２Ｄの外縁からの距離）を同じくする３本の第２−１起点側収斂状切目線３１Ａ、３本の第２−１終点側収斂状切目線３１Ｂと、この第２−１起点側収斂状切目線３１Ａの収斂した点と第２−１終点側収斂状切目線３１Ｂの収斂した点とからそれぞれ左・右側端縁熱接着部２Ａ、２Ｂに直交する左右方向に進行して第１−２起点側直線状切目線３０Ｃ、第１−２終点側直線状切目線３０Ｄと位相（位置）および長さを同じくして延びる第２−２起点側直線状切目線３１Ｃ、第２−２終点側直線状切目線３１Ｄと、これら第２−２起点側直線状切目線３１Ｃ、第２−２終点側直線状切目線３１Ｄのそれぞれの終端を、一直線で繋ぐ第２−３中央直線状切目線３１Ｅとから構成される。
【００２２】
なお、各種切目線について、第１切目線３を構成する各種切目線については「第１」という文言を付し、左・右側端縁熱接着部２’の外縁から順に「第１−１」「第１−２」「第１−３」との枝番を追加した文言を付しており、第２切目線３’を構成する各種切目線については「第２」という文言を付し、左・右側端縁熱接着部２Ａ、２Ｂの外縁から順に「第２−１」「第２−２」との枝番を追加した文言を付しており、枝番が小さい程、左・右側端縁熱接着部２Ａ、２Ｂの外縁寄りの切目線となり、枝番が大きい程、左・右側端縁熱接着部２Ａ、２Ｂの外縁から離れた中央寄りの切目線となる。また、第２−２起点側直線状切目線３１Ｃと第２−２終点側直線状切目線３１Ｄと第２−３中央側直線状切目線３１Ｅとは、同一直線状に並んでおり、本来的には区分する必要はないが、第１−２起点側直線状切目線３０Ｃと表裏で一致する部分（一部）を第２−２起点側直線状切目線３１Ｃと定義し、第１−２終点側直線状切目線３０Ｄと表裏で一致する部分（一部）を第２−２終点側直線状切目線３１Ｄと定義し、その残りの部分（一部）を第２−３中央直線状切目線３１Ｅと定義したものである。
【００２３】
上記のように構成した包装袋１は、第１切目線３が交差する左側端縁熱接着部２Ａの左側（起点側）の外縁、たとえば、図４上の左側から上端側の領域を手指で摘んで第１切目線３より手前に引裂くと、包装袋１の上端部を構成する２枚の積層体（前壁用積層体１０Ａ、後壁用積層体１０Ｂ）のうち、手前側の前壁用積層体１０Ａと奥側の後壁用積層体１０Ｂは、３本の第１−１起点側収斂状切目線３０Ａのいずれかと３本の第２−１起点側収斂状切目線３１Ａのいずれかとが一致するように一体的に引裂かれて起点側の収斂点に達し、これに追随する第１−２起点側直線状切目線３０Ｃと第２−２起点側直線状切目線３１Ｃとに沿って直線的に一体的に引き裂かれて、引裂き開封線が下端側に膨らむ第１−３下端側切目線３０Ｆおよび上端側に膨らむ第１−３上端側切目線３０Ｅの分岐点に至って、手前に引裂くことの結果として第１切目線３においては第１−２起点側直線状切目線３０Ｃから第１−３下端側切目線３０Ｆに沿って、また、第２切目線３’においては第２−２起点側直線状切目線３１Ｃから第２−３中央側直線状切目線３１Ｅに沿って、それぞれ一致せずに引裂かれ、それぞれの引裂き開封線が第１−２終点側直線状切目線３０Ｄおよび第２−２終点側直線状切目線３１Ｄに至って、第１切目線３においては第１−３下端側切目線３０Ｆは第１−２終点側直線状切目線３０Ｄに沿って、また、第２切目線３’においては第２−２終点側直線状切目線３１Ｄに沿って直線的に一体的に引き裂かれて終点側の収斂点に達し、これに追随する３本の第１−１終点側収斂状切目線３０Ｂのいずれかと３本の第２−１終点側収斂状切目線３１Ｂのいずれかとが一致するように一体的に引裂かれて、図４上の右側端縁熱接着部２Ｂの右側（終点側）外縁に達して開封される。図９に示すように、引裂き開封線は滑らかな曲線と直線とからなるものであり、開封口についても美麗なものとすることができる。また、第１−３下端側切目線３０Ｆと第２−３中央側直線状切目線３１Ｅとにより形成される引裂き開封線は段差を生じるために前壁用積層体１０Ａと後壁用積層体１０Ｂとを容易に摘んで開口することができる。
【００２４】
また、図示あるいは詳細な説明は省略するが、図４において包装袋１の開封時に、図４上の左側から上端側の領域を手指で摘んで第１切目線より奥側に引裂くと、引裂き開封線が下端側に膨らむ第１−３下端側切目線３０Ｆおよび上端側に膨らむ第１−３上端側切目線３０Ｅの分岐点に至って、奥側に引裂くことの結果として第１−２起点側直線状切目線３０Ｃから第１−３上端側切目線３０Ｅ沿って、引裂かれる他は、手前に引裂いた場合と同様に引き裂かれて開封されるものである。
【００２５】
また、図６は本発明にかかる包装袋に形成する切目線の第２実施形態を図解的に示す手前側から見た要部平面図であって、図４においては第１切目線３の第１−３上端側切目線３０Ｅと第１−３下端側切目線３０Ｆを円弧状の形状としたものを示したが、円弧状の形状に替えて略コの字状の上端側に膨らむ第１−３上端側切目線３０Ｇと下端側に膨らむ第１−３下端側切目線３０Ｈとしたものであり、これ以外は図４と同じであり、説明は省略する。なお、第２実施形態の場合、第１切目線３の第１−２起点側直線状切目線３０Ｃあるいは第１−２終点側直線状切目線３０Ｄに対して略コの字状の第１−３上端側切目線３０Ｇあるいは第１−３下端側切目線３０Ｈがなす角度θ（一箇所のみ記載した）は１６０〜１７５度が望ましい。
【００２６】
また、図７は本発明にかかる包装袋に形成する切目線にＶ字状の切欠を組み合わせた第３実施形態を図解的に示す手前側から見た要部平面図であって、図３においては第１切目線３（または第１切目線３’）のみを易開封手段（鋏やナイフ等の道具を用いることなく手だけで包装袋を開封するための弱化部）とし、第１−１起点側収斂状切目線３０Ａ（または、前記第２−２起点側収斂状切目線３１Ａ）のみを開封開始手段（引裂きを開始する端緒となる弱化部）としたものを示したが、図７ではこれにＶ字状の切欠を組み合わせて易開封手段並びに開封開始手段とするものであり、第１−１起点側収斂状切目線３０Ａ（または、第２−２起点側収斂状切目線３１Ａ）の最も外側に存在する２本（図７では中央の一本を挟み込む２本）が左側端縁熱接着部２Ａの左側（起点側）外縁と交差することで形成される三角領域内に、あるいは、第１−１終点側収斂状切目線３０Ｂ（または、第２−１終点側収斂状切目線３１Ｂ）の最も外側に存在する２本（図７では中央の一本を挟み込む２本）が右側端縁熱接着部２Ｂの右側（終点側）外縁と交差することで形成される三角領域内に、Ｖ字状の切欠を設けることで、目の不自由な使用者であっても開封開始箇所を特定できる点においては視覚的に開封をより容易なものとすることができる。さらに、Ｖ字状の切欠の内側を向いた先端部（Ｖ字の折り返し点）が、第１−１起点側収斂状切目線３０Ａ（または、第２−２起点側収斂状切目線３１Ａ）の収斂点に近接することにより、Ｖ字状の切欠から引裂きを開始すれば、引裂き開封線はＶ字状の切欠の内側を向いた先端部から略直線的に第１−１起点側収斂状切目線３０Ａ（または、第２−２起点側収斂状切目線３１Ａ）の収斂点に達するので、機能的に開封をより容易なものとすることができる。
【００２７】
また、図８は本発明にかかる包装袋に形成する切目線にＵ字状の切欠を組み合わせた第４実施形態を図解的に示す手前側から見た要部平面図であって、図６においては第１切目線３（または第１切目線３’）のみを易開封手段（鋏やナイフ等の道具を用いることなく手だけで包装袋を開封するための弱化部）とし、第１−１起点側収斂状切目線３０Ａ（または、第２−２起点側収斂状切目線３１Ａ）のみを開封開始手段（引裂きを開始する端緒となる弱化部）としたものを示したが、図８ではこれにＵ字状の切欠を組み合わせて易開封手段並びに開封開始手段とするものであり、第１−１起点側収斂状切目線３０Ａ（または、第２−２起点側収斂状切目線３１Ａ）の最も外側に存在する２本（図７では中央の一本を挟み込む２本）が左側端縁熱接着部２Ａの左側（起点側）外縁と交差することで形成される三角領域内に、あるいは、第１−１終点側収斂状切目線３０Ｂ（または、第２−１終点側収斂状切目線３１Ｂ）の最も外側に存在する２本（図７では中央の一本を挟み込む２本）が右側端縁熱接着部２Ｂの右側（終点側）外縁と交差することで形成される三角領域内に、Ｕ字状の切欠を設けることで、目の不自由な使用者であっても開封開始箇所を特定できる点においては視覚的に開封をより容易なものとすることができる。さらに、Ｕ字状の切欠の内側を向いた先端部（Ｕ字の変曲点）が、第１−１起点側収斂状切目線３０Ａ（または、第２−２起点側収斂状切目線３１Ａ）の収斂点に近接することにより、Ｕ字状の切欠から引裂きを開始すれば、引裂き開封線はＵ字状の切欠の内側を向いた先端部から略直線的に第１−１起点側収斂状切目線３０Ａ（または、第２−２起点側収斂状切目線３１Ａ）の収斂点に達するので、機能的に開封をより容易なものとすることができる。
【００２８】
なお、図７においてはＶ字状の切欠を、図８においてはＵ字状の切欠を示しているが、視覚的にも機能的にも開封をより容易なものとする手段としては、これらに限定されるものではなく、Ｉ字状、Ｖ字状、Ｕ字状、亀甲状等の切欠であってもよく、微小な打ち抜き孔を多数形成した傷痕群を設けることでも、視覚的にも機能的にも開封をより容易なものとすることができる。ただし、いずれであっても、図７、図８に示すように、第１−１起点側収斂状切目線３０Ａ（または、第２−２起点側収斂状切目線３１Ａ）の最も外側に存在する２本（図７では中央の一本を挟み込む２本）が左側端縁熱接着部２Ａの左側（起点側）外縁と交差することで形成される三角領域内に、あるいは、第１−１終点側収斂状切目線３０Ｂ（または、第２−１終点側収斂状切目線３１Ｂ）の最も外側に存在する２本（図７では中央の一本を挟み込む２本）が右側端縁熱接着部２Ｂの右側（終点側）外縁と交差することで形成される三角領域内に、収まるように設けることが必要であり、Ｉ字状、Ｖ字状、Ｕ字状、亀甲状等の切欠の場合は、これらの切欠の内側を向いた先端部が、第１−１起点側収斂状切目線３０Ａ（または、第２−２起点側収斂状切目線３１Ａ）の収斂点に近接するように形成する必要がある。また、図７においてはＶ字状の切欠を、図８においてはＵ字状の切欠を、起点側（図上での左側）及び終点側（図上での右側）の両方に設けたが、左利きの使用者を考慮すれば、両側に備えるのが望ましいが、起点側（図上での左側）のみに設けてもよく、両側に設けるにおいても切欠等の形状を起点側と終点側で異なるもの（例えば、起点側ではＶ字状の切欠とするが、終点側ではＩ字状の切欠とする）としても問題ないものである。
【００２９】
なお、図４、図７においては、第１−３上端側切目線３０Ｅと第１−３下端側切目線３０Ｆを円弧状の形状とし、図６、図８においては、第１−３上端側切目線３０Ｇと第１−３下端側切目線３０Ｈを略コの字状の形状としたものを例示したが、第１−３上端側切目線と第１−３下端側切目線は、これに限るものではなく、略への字状等の形状であってもよいし、第１−３上端側切目線と第１−３下端側切目線の形状を異なるものとしてもよいものである。
【００３０】
また、第１−２起点側直線状切目線３０Ｃと第１−２終点側直線状切目線３０Ｄのそれぞれの終端を繋ぐ図４、図７の第１−３上端側切目線３０Ｅと第１−３下端側切目線３０Ｆ、あるいは、図６、図８の第１−３上端側切目線３０Ｇと第１−３下端側切目線３０Ｈをそれぞれ一本の切目線で示したが、一本に限ることはなくそれぞれを複数本から構成してもよいし、上端側と下端側で本数を異にしてもよいものである。また、複数本設ける場合の切目線の間隔は１ｍｍ以下が望ましい。なお、第１切目線３と第２切目線３’の引裂き開口部における段差は６ｍｍ以上になるように設計するのが包装袋１を構成する積層体の一方（手前側）と他方（奥側）を容易に手指で摘むことができる点から好ましいものである。
【００３１】
また、図４、図６、図７、図８において第１−１起点側収斂状切目線３０Ａと第１−１終点側収斂状切目線３０Ｂと第２−１起点側収斂状切目線３１Ａと第２−１終点側収斂状切目線３１Ｂとを、左側端縁熱接着部２Ａの外縁の３箇所と右側端縁熱接着部２Ｂの外縁の３箇所とからそれぞれ左・右側端縁熱接着部２Ａ、２Ｂの内縁に向う方向に進行して左・右側端縁熱接着部２Ａ、２Ｂの内縁にまで達しない位置で１点に収斂する３本仕様にしたが、中央の一本を抜いて、左側端縁熱接着部２Ａの外縁の２箇所と右側端縁熱接着部２Ｂの外縁の２箇所とからそれぞれ左・右側端縁熱接着部２Ａ、２Ｂの内縁に向う方向に進行して左・右側端縁熱接着部２Ａ、２Ｂの内縁にまで達しない位置で１点に収斂する２本仕様としてもよく、中央の一本を抜く場合には、２本仕様以外に４本仕様、６本仕様と偶数本のバリエーションが可能であり、中央の一本を抜かない場合には、３本仕様以外に５本仕様、７本仕様と奇数本のバリエーションが可能であり、起点側と終点側で本数が異なるものとすることも可能であるが、いずれのバリエーションにおいても、左・右側端縁熱接着部２Ａ、２Ｂの内縁にまで達しない位置で１点に収斂することには変わりがない。
【００３２】
次に、包装袋１を構成する積層体１０（前壁用積層体１０Ａと後壁用積層体１０Ｂと底壁用積層体１０Ｃの総称）について説明する。積層体１０の外層としては、包装袋１を構成する基本素材となることから、機械的、物理的、化学的等において優れた性質を有する合成樹脂製フィルムを用いることができ、たとえば、ポリエステル系、ポリアミド系、ポリプロピレン系等の樹脂を用いることができる。また、これらの樹脂を用いたフィルムとしては、二軸方向に延伸した延伸フィルムが好適である。この理由としては、通常、外層１１には印刷が施されることが多く、印刷適性が求められるからである。また、外層１１を構成するフィルムの厚さとしては、コストなどを勘案して決めればよいが、概ね１２〜２５μｍ程度である。
【００３３】
また、積層体１０の中間層１２に用いるアルミニウム箔としては、焼鈍処理されたアルミニウム箔が適当であり、その厚みとしては６〜１５μｍ程度である。
【００３４】
また、積層体１０の内層１３としては、熱により溶融して相互に溶着し得る熱接着性樹脂から形成された層であればいのであって、包装袋１に要求される物性により適宜選択して用いればよいものであるが、たとえば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレンとアクリル酸との酸コポリマー、エチレンとアクリル酸エステルとのエステルコポリマー等で形成することができる。また、内層１３を構成するフィルムの厚さとしては、求められる物性とコスト等を勘案して決めればよいものである。
【００３５】
また、積層体１０は、中間層１２と内層１３の間に包装袋とした際に必要とされる物性、たとえば、機械的強靭性、耐屈曲性、耐突き刺し性、耐衝撃性、耐寒性、耐熱性、耐薬品性等の物性を付与するために、たとえば、ポリエステル、ポリアミド、ポリエチレン，ポリプロピレン，エチレン−プロピレン共重合体等のポリオレフィン等のフィルムや樹脂層からなる強度補強層を設けることができ、この強度補強層は上記フィルムや樹脂層を組み合わせてもよいものであり、その厚さとしては求められる物性やコスト等勘案して決めればよいものである。
【００３６】
また、本発明の包装袋１を構成する積層体１０の各層の積層方法としては、サンドイッチラミネーション法、ドライラミネーション法等の周知の積層方法を適宜用いて積層すればよいものである。また、第１切目線３や第２切目線３’の形成は、ロータリーダイカッターを用いて物理的に形成してもよいが、好ましくはパルス発振型レーザー等を用いて積層体１０とした後に外層１１に形成する。これに用いるレーザーの種類としては、炭酸ガスレーザー、ＹＡＧレーザー、半導体レーザー、アルゴンイオンレーザー等が可能であり、特に限定するものではない。
【００３７】
なお、本発明者は、開封時の実際の引裂き線が、切目線から外れることが生じるメカニズムを検討した結果、横一文字に引裂く切目線では、引裂き線が切目線から外れることがないのに対し、特許文献１に記載の包装袋や本発明の包装袋のように、横線と斜め線横線と曲線を組み合わせた切目線では、引裂き線が外れる確率が増大することを確認している。したがって、第一の課題を解決するための工夫、具体的には、切目線の形状および包装袋を構成する表裏の積層体に形成する切目線の形状およびその組み合わせを工夫することにより、手前側に引裂いても、奥側に引裂いても変則的な切目線に沿って引裂き線を形成することを本発明は達成しているが、本来的に変則的な切目線を備えることによるデメリット、つまり、横一文字に引裂く切目線と比較して引裂き線が切目線から外れる可能性が高くなることは否めない。このような変則的な切目線が招来する本来的なデメリットは、使用者が通常の速度、例えば、成人男性が幅１０ｃｍの袋を１０秒程度開封するような場合には、ほとんど発生しないが、使用者が非常に高い速度、例えば、成人男性が幅１０ｃｍの袋を１秒程度で一気に開封するような場合には、発生することがあり得る。したがって、本発明のような変則的な切目線であっても引裂き線が切目線から外れる可能性を出来る限り低減して、良好な引裂き開口部を形成するための引裂き速度の許容範囲を拡げることが望まれており、当然に、その工夫・改良は、切目線の形状および包装袋を構成する表裏の積層体に形成する切目線の形状およびその組み合わせ以外の要素により達成する必要がある。
【００３８】
そこで、本発明者は、開封時の実際の引裂き線が、切目線から外れることが生じるメカニズムを分析した結果、切目線が形成されていないアルミニウム箔からなる中間層より内側に配置される層（単層の場合、複数層の場合がある）の少なくとも一つの層が配向性を有する層であると、これが切目線と一致しない場合には、主に切目線が、たとえば、直線から斜め線、斜め線から直線、直線から曲線、曲線から直線に移行する箇所、あるいは、変曲点が存在する曲線の変曲点の箇所において、引裂き線が切目線から外れる確率を増大しており、アルミニウム箔からなる中間層より内層側に配置される層のいずれの層にも敢えて配向性を有さない積層体で構成された包装袋とすることで、外層の切目線に追従した良好な引裂き線（切目線に一致した引裂き線）を形成できる、すなわち、上記第一の課題を解決するための工夫に伴うデメリットを低減出来るとの知見を得ている。
【００３９】
以上より、図４、図６、図７、図８に示す本発明の包装袋（第１実施形態〜第４実施形態）においては、包装袋を構成する積層体のアルミニウム箔からなる中間層より内層側に配置された層は全て未延伸フィルムおよび／ないし未延伸樹脂層から構成されることが好ましく、積層体の中間層より内層側に配置された層は全て配向性を有さないことにより、包装袋を左・右側端縁熱接着部２Ａ、２Ｂの一方の外縁（たとえば、左側の外縁）から外層の切目線（第１切目線３、第２切目線３’）に沿って引き裂くと、外層の切目線（第１切目線３、第２切目線３’）に一致した良好な引裂き開口部を形成できるより良好な追従性をより高度に達成することができ、もって、良好な引裂き開口部を形成するための引裂き速度の許容範囲を拡げることができる。
【００４０】
なお、包装袋というものは、一部の端縁に未シールの開口部を備えた状態の袋体（四方ともシールされていない点で完全な包装袋と区別するために「袋体」と称する）を作成し、この袋体を、内容物を充填する工程を行う食品メーカー等に納め、食品メーカー等において、この袋体に食品等の内容物を開口部から充填しつつ、充填後の内容物の収納された袋体の開口部つまり未シール部に最終的なシールを行うことで、四方を完全に封緘するものである。ここで、三方シールタイプの包装袋や四方シールタイプの包装袋では、包装袋の開口部つまり未シール部を上端縁あるいは下端縁いずれにも設定することが可能であり、本発明のようなイレギュラーな構成でもある第１切目線や第２切目線を包装袋の上端寄りに備える場合には、下端縁に開口部を設定した袋体を作成し、食品メーカー等にて、食品等の内容物の充填及び開口部のシールによる封緘を行うことが出来る。
【００４１】
しかし、本発明は、スタンディングタイプの包装袋に限定されたものであり、下部構造が山折りした底壁シートを備える点で、本発明の包装袋の下端縁に開口部を設定した場合、具体的には上端縁と左右の側端縁の三方をヒートシールした袋体の底部側から内容物を充填した後に、山折りした底壁シートを挿入してヒートシールして底部端縁熱接着部を形成することで封緘を行うことは略不可能である。したがって、スタンディングタイプの包装袋に限定された本発明においては、第１切目線や第２切目線を備える上端縁側に開口部を形成し、この上端縁の開口部から内容物を充填した後に、上端縁側の開口部をヒートシールして上部端縁熱接着部を形成することで封緘を行うしかない。ここで、充填工程においては、充填機に供給される袋体は開口部側の前壁シートと後壁シートが未シール状態ではあるが密着した状態であるので、この密着した開口部側の前壁シートと後壁シートの遊端縁近傍の幅方向における中央部をそれぞれ真空吸着して離間する方向に引っ張って隙間を形成し、この隙間から食品等の内容物を充填する必要がある。
【００４２】
しかし、本発明はスタンディングタイプの包装袋において、第一の課題を解決するための工夫、具体的には、切目線の形状および包装袋を構成する表裏の積層体に形成する切目線の形状およびその組み合わせを工夫することにより、手前側に引裂いても、奥側に引裂いても変則的な切目線に沿って引裂き線を形成することを本発明は達成しているが、本来的に切目線を備えることによるデメリット、つまり、包装袋を構成する前壁シートと後壁シートが外部からの力に対し脆弱になる可能性が高くなることは否めない。
【００４３】
このような切目線が招来する本来的なデメリットは、充填工程において、上述した、密着した開口部側の前壁シートと後壁シートの遊端縁近傍をそれぞれ真空吸着して離間する方向に引っ張って隙間を形成する際に、袋体そのものが切目線（脆弱箇所）の吸着を行う中央部から破れが発生することがありうると想定される。したがって、本発明のような変則的な切目線であっても、充填機での真空吸着による隙間形成にて切目線から破れる可能性を出来る限り低減して、良好な充填・封緘を確保することが望まれており、当然に、その工夫・改良は、切目線の形状および包装袋を構成する表裏の積層体に形成する切目線の形状およびその組み合わせ以外の要素により達成する必要がある。
【００４４】
そこで、本発明者は、充填機での真空吸着による隙間形成にて切目線から破れるのは、真空吸着される中央部分（約１〜２ｃｍ程度）の領域の切目線で発生している点に着目し、さらに、開封時の実際の引裂き線が形成されるメカニズムを分析した結果、本発明の第１切目線と第２切目線においては、中央の複数本の切目線にまで達すると、後の引き裂き線の形成はスムーズに進行する点にも着目し、第１切目線と第２切目線の中央の複数本の切目線の中央部分（約１〜２ｃｍ程度）の領域を、その他の領域と比較して相対的に切れ難い状態とすることで、良好な引き裂き開口性を保持しつつ充填機での真空吸着による隙間形成にて切目線から破れることを防止できる、すなわち、上記第一の課題を解決するための工夫に伴うデメリットを低減出来るとの知見を得ている。
【００４５】
以上より、図４、図６、図７、図８に示す本発明の包装袋（第１実施形態〜第４実施形態）においては、前壁シートの外層に形成する第１切目線と後壁シートの外層に第２切目線それぞれにおいて、中央側の複数本の切目線の中央部分が、それ以外の部分と比較して相対的に引き裂き性が低いものとすることにより、具体的には、中央側の複数本の切目線の中央部分のみカット部とアンカット部が交互に配置された破線状態とし且つそれ以外の部分（起点側の複数本の切目線と起点側の一本の切目線と中央側の複数本の切目線の中央部分を除く部分と終点側の一本の切目線と終点側の複数本の切目線）をカット部のみが連続した状態とすることにより、あるいは、中央側の複数本の切目線の中央部分のみ切目が断面方向において外層の途中までとするハーフカット状態とし且つそれ以外の部分（起点側の複数本の切目線と起点側の一本の切目線と中央側の複数本の切目線の中央部分を除く部分と終点側の一本の切目線と終点側の複数本の切目線）を外層を貫通する貫通カット状態とすることにより、包装袋を左・右側端縁熱接着部２Ａ、２Ｂの一方の外縁（たとえば、左側の外縁）から外層の切目線（第１切目線３、第２切目線３’）に沿って引き裂くと、外層の切目線（第１切目線３、第２切目線３’）に一致した良好な引裂き開口部を形成できるより良好な追従性（良好な引き裂き開口性）を保持しつつ充填機での真空吸着による隙間形成にて切目線から破れることを防止できる。
【符号の説明】
【００４６】
１                            包装袋
２                            端縁熱接着
２Ａ                          左側端縁熱接着部
２Ｂ                          右側端縁熱接着部
２Ｃ                          底部端縁熱接着部
２Ｄ                          上部端縁熱接着部
３                            第１切目線
３’                          第２切目線
５                            切欠
１０Ａ                        前壁用積層体（前壁シート）
１０Ｂ                        後壁用積層体（後壁シート）
１０Ｃ                        底壁用積層体（底壁シート）
１１                          外層
１２                          中間層
１３                          内層
２０                          合成樹脂製の咬合具
２１                          凸条の雄部材
２２                          凹条の雌部材
３０Ａ                        第１−１起点側収斂状切目線
３０Ｂ                        第１−１終点側収斂状切目線
３０Ｃ                        第１−２起点側直線状切目線
３０Ｄ                        第１−２終点側直線状切目線
３０Ｅ，３０Ｇ                第１−３上端側切目線
３０Ｆ，３０Ｈ                第１−３下端側切目線
３１Ａ                        第２−１起点側収斂状切目線
３１Ｂ                        第２−１終点側収斂状切目線
３１Ｃ                        第２−２起点側直線状切目線
３１Ｄ                        第２−２終点側直線状切目線
３１Ｅ                        第２−３中央側直線状切目線
α                            切目線形成領域
β                            咬合具形成領域
γ                            ガセット領域
Ｎ１                          Ｖ字状の切欠
Ｎ２                          Ｕ字状の切欠
【図１】
2016179863.tif 000003
【図２】
2016179863.tif 000004
【図３】
2016179863.tif 000005
【図４】
2016179863.tif 000006
【図５】
2016179863.tif 000007
【図６】
2016179863.tif 000008
【図７】
2016179863.tif 000009
【図８】
2016179863.tif 000010
【図９】
2016179863.tif 000011